(57)【要約】【課題】本体に複数枚のカードが挿入されるのを制限することができ、且つ小型で安価なカード処理装置を提供する。【解決手段】シャッタ部材１５の挿入口１１側と反対の端部Ｂの下に、本体に挿入された磁気カード１０が入り込むと、シャッタ部材１５の挿入口１１側の端部Ａが下がって、挿入口１１の一部を封鎖する。これにより、挿入口１１から新たな磁気カード１０が本体に挿入されるのを阻止することができる。反対に、シャッタ部材１５の挿入口１１側と反対の端部Ｂの下から磁気カード１０が抜けると、シャッタ部材１５の挿入口１１側の端部Ａが上がって、挿入口１１が開放される。【選択図】図５
2004152240.tif 000002
【特許請求の範囲】
【請求項１】
カードを挿入する挿入口と、本体内部に設けられた貯留部と、の間に形成されたカードの搬送路と、
上記挿入口における上記カードの挿入を阻止するシャッタと、を備えたカード処理装置において、
上記シャッタは、上記カードの搬送面に対向して配置された軸に揺動自在に取り付けた板状の部材であり、且つ挿入口側、およびその反対側の両端部を上記搬送面側に折り曲げているカード処理装置。
【請求項２】
上記カードは磁気カードであり、
上記挿入口と上記貯留部との間に形成された搬送路に沿って、本体に挿入された磁気カードを搬送する搬送手段と、
上記搬送手段により、上記挿入口から上記貯留部へ搬送されている磁気カードに記録されている磁気データを読み取るとともに、上記貯留部から上記挿入口へ搬送されている磁気カードに対して磁気データを書き込む読取／書込手段と、を備えた請求項１に記載のカード処理装置。
【請求項３】
上記挿入口と上記貯留部との間に形成された搬送路に沿って、本体に挿入されたカードを搬送する搬送手段と、
上記搬送手段により、上記挿入口と上記貯留部との間で搬送されているカードに対して可視情報を書き込む可視情報書込手段と、を備えた請求項１に記載のカード処理装置。
【請求項４】
上記シャッタは、上記両端部間の長さが、挿入口から挿入されるカードの搬送方向の長さよりも長い請求項１〜３のいずれかに記載のカード処理装置。
【請求項５】
上記シャッタは、上記両端部間の長さが、挿入口から挿入されるカードの搬送方向の長さと略同じである請求項１〜３のいずれかに記載のカード処理装置。
【請求項６】
上記シャッタは、上記挿入口の反対側の短部を、カードの搬送面側に突出する湾曲形状に折り曲げている請求項１〜５のいずれかに記載のカード処理装置。
【請求項７】
上記シャッタには、挿入口側の端部をカードの搬送面から離す方向に付勢力を作用させるバネ部が形成されている請求項１〜６のいずれかに記載のカード処理装置。
【発明の詳細な説明】
【０００１】
【発明の属する技術分野】
この発明は、挿入口から本体に挿入されたカードに対してデータの読み取り、データの書き込み、可視情報の書き込み等の処理を行うカード処理装置に関し、特に本体にカードが挿入されているときに、新たなカードの挿入を制限するカード処理装置に関する。
【０００２】
【従来の技術】
従来、プリペイドカードや会員カード等として利用されるカード、例えば磁気カード、接触式のＩＣカード、非接触式のＩＣカード、に記録されているデータを読み取り、読み取ったデータを用いて取引等を処理し、今回の処理で発生したデータに基いて更新したデータをカードに書き込む（記録する）カード処理装置があった。また、カードの表面に形成されている感熱記録部に対して、該カードの使用履歴等を可視情報で書き込む機能を有するカード処理装置もあった。
【０００３】
この種のカード処理装置は、本体にカードが挿入されているときに、挿入口の一部または全体を封鎖するシャッタを設け、複数枚のカードが本体に挿入されるのを制限していた（例えば、特許文献１）。
【０００４】
なお、上記シャッタを設けない構成では、本体に複数枚のカードが挿入されるのを制限することができない。本体に複数枚のカードが挿入されると、カードに記録されているデータが破壊されたり、本体内部においてカードが詰まって本体を故障させる等の事態が生じ、装置本体の信頼性を低下させてしまう。
【０００５】
【特許文献１】
特開２０００−４８１４０号公報
【０００６】
【発明が解決しようとする課題】
しかしながら、従来のシャッタを有するカード処理装置は、本体にカードが挿入されているかどうかを検出するためのセンサ、このセンサの検出結果に応じてシャッタを開閉するための駆動部（例えば、モータ）が必要であり、本体の大型化やコストアップという問題があった。
【０００７】
この発明の目的は、本体に複数枚のカードが挿入されるのを制限することができ、且つ小型で安価なカード処理装置を提供することにある。
【０００８】
【課題を解決するための手段】
この発明のカード処理装置は、上記課題を解決するために以下の構成を備えている。
【０００９】
（１）カードを挿入する挿入口と、本体内部に設けられた貯留部と、の間に形成されたカードの搬送路と、
上記挿入口における上記カードの挿入を阻止するシャッタと、を備えたカード処理装置において、
上記シャッタは、上記カードの搬送面に対向して配置された軸に揺動自在に取り付けた板状の部材であり、且つ挿入口側、およびその反対側の両端部を上記搬送面側に折り曲げている。
【００１０】
この構成では、シャッタは、その両端部がカードの搬送面側に折り曲げられている。また、シャッタは揺動自在に取り付けられている。挿入口から貯留部へ搬送路に沿って挿入されたカードが、シャッタにおける挿入口の反対側の短部と、カードの搬送面と、の間に入り込むと、シャッタにおける挿入口の反対側の短部が持ち上げられる。このため、シャッタが軸を中心にして揺動し、シャッタにおける挿入口側の端部が下がって、挿入口を封鎖する。これにより、挿入口において新たなカードが本体に挿入されるのを制限することができる。
【００１１】
また、カードが貯留部から挿入口側に取り出されると、シャッタにおける挿入口側と反対側の端部と、カードの搬送面と、の間から、このカードが抜けると、シャッタにおける挿入口の反対側の短部が下がり、シャッタが軸を中心にして揺動する。その結果、シャッタにおける挿入口側の端部が上がり、挿入口が開放される。カードは、開放された挿入口から取り出せる。
【００１２】
このように、本体に挿入されたカードの厚みにより、シャッタを揺動させて、挿入口を封鎖する構成としたので、本体にカードが挿入されているかどうかを検出するためのセンサや、このセンサの検出結果に基づいてシャッタを駆動する駆動部の構成が不要になり、本体を小型に構成できるとともに、安価にできる。
【００１３】
本体に挿入されるカードは、例えば磁気カード、接触式のＩＣカード、非接触式のＩＣカード、表面に感熱記録部が形成されたカード、さらにはこれらの複合カードのいずれであってもよい。
【００１４】
例えば、磁気カード対応のカード処理装置であれば、挿入口において挿入された磁気カードを貯留部へ搬送しているときに、この磁気カードに記憶されているカードデータ（磁気データ）を読み取り、貯留部から挿入口へ搬送しているときに、この磁気カードに対して磁気データを書き込むように構成すればよい。また、接触式のＩＣカードであれば、貯留部に位置するカードに設けられているＩＣチップに電気的に接続される端子部を設け、この端子部介してデータの読み取り、書き込みを行うように構成すればよい。また、非接触式のＩＣカード対応のカード処理装置であれば、本体に挿入されたカードとの無線通信により、データの読み取り、書き込みを行うように構成すればよい。
【００１５】
なお、本体に挿入された非接触式のＩＣカードを処理するカード処理装置については、あまり実用化されていない。本体の無線通信エリアにかざされた非接触式のＩＣカードとの無線通信によりデータの読み取り、書き込みを行うタイプのカード処理装置が一般的である。
【００１６】
さらに、表面に感熱記録部が形成されたカードを処理するカード処理装置であれば、挿入口から貯留部へ搬送しているカード、または貯留部から挿入口へ搬送しているカードに対して、可視情報を書き込むように構成すればよい。磁気カード、接触式のＩＣカード、非接触式のＩＣカードの表面に感熱記録部を形成した複合カードも実用化されている。
【００１７】
（２）上記シャッタは、上記両端部間の長さが、挿入口から挿入されるカードの搬送方向の長さよりも長い。
【００１８】
この構成では、シャッタにおける挿入口の反対側の短部と、カードの搬送面との間に搬送されているカードが入り込み、シャッタにおける挿入口側の端部が下がったときに、挿入口側の端部がカードに当たることがない。したがって、カードがシャッタにより破損されるのを防止できる。
【００１９】
また、シャッタの両端部間の長さと、カードの搬送方向の長さと、を略同じ長さ（但し、シャッタの両端部間がカードの搬送方向の長さよりも１ｍｍ程度長いほうが好ましい。）にすれば、搬送路の搬送方向の長さをより短くすることができ、本体を一層小型にできる。
【００２０】
（３）上記シャッタは、上記挿入口の反対側の短部を、カードの搬送面側に突出する湾曲形状に折り曲げている．
この構成では、挿入口から貯留部へ搬送されているカードが、挿入口の反対側の短部と搬送面との間にスムーズに入り込ませることができる。これにより、搬送されているカードの詰まりの発生が抑えられ、且つ挿入口の反対側の短部と搬送面との間に入り込む際にカードを傷つけ破損させることも防止できる。したがって、装置本体の信頼性の向上が図れる。
【００２１】
（４）上記シャッタには、挿入口側の端部をカードの搬送面から離す方向に付勢力を作用させるバネ部が形成されている。
【００２２】
この構成では、挿入口の反対側の短部と搬送面との間にカードが入り込んでいないとき、シャッタにおける挿入口側の短部を確実に搬送面から離し、挿入口を開放した状態にできる。
【００２３】
【発明の実施の形態】
以下、この発明の実施形態であるカード処理装置について詳細に説明する。
【００２４】
図１は、この発明の実施形態であるカード処理装置の構成を示すブロック図であり、図２は同カード処理装置の外観図である。
【００２５】
この実施形態のカード処理装置１は、本体の動作を制御する制御部２と、本体に挿入された磁気カード１０を搬送する搬送部３と、本体に挿入された磁気カード１０に記録されている磁気データの読取および磁気カード１０に対する磁気データの書込を行う読取／書込部４と、外部機器との間におけるデータの入出力を制御する入出力部５と、を備えている。
【００２６】
この実施形態のカード処理装置１は、例えば自動販売機等の機器に内蔵してもよいし、また単体での使用も可能である。単体で使用する場合、図２に示すカード処理装置１に対して本体カバーが取り付けられる。
【００２７】
図２において、左側に磁気カード１０を挿入する挿入口１１が形成されている。挿入口１１に挿入された磁気カード１０は、本体に設けられているモータの駆動力により貯留部に搬送される。図２に示す、１２はモータの回転軸であり、１２ａ、１２ｂはモータの回転力がベルトを介して伝達されるプーリである。また、１３ａ、１３ｂは、搬送路を搬送されている磁気カード１０の表面を押圧するローラである。ローラ１３ａはその下側に対向して配置されている搬送ローラに押圧されている。この搬送ローラは、モータの回転力がプーリ１２ａ、１２ｂを介して伝達され、回転される。一方、ローラ１３ｂはその下側に配置されている磁気ヘッドに押圧されている。磁気ヘッドは、搬送路を搬送されている磁気カード１０に記録されている磁気データの読み取り、および磁気データの書き込みを行う。
【００２８】
また、１４ａは本体の動作電源が接続されるコネクタであり、１４ｂは他の機器とのデータ通信用のケーブルが接続されるコネクタである。
【００２９】
上記貯留部とは、挿入口１１に挿入された磁気カード１０が搬送路を搬送されて、この磁気カード１０を一時的に貯留する場所である。磁気カード１０の搬送路の長さ（挿入口の長さを含む）は、本体に挿入される磁気カード１０の搬送方向の長さの２倍よりも少し短い（例えば、１ｃｍ程度短い。）。また、磁気カード１０は貯留部に位置しているとき、ローラ１３ａとこのローラ１３ａに下側に配置されている搬送ローラにより挟持されている。すなわち、ローラ１３ａの配置位置から、貯留部の先端までの長さが、磁気カード１０の搬送方向の長さよりも短い。したがって、モータを逆回転させることで、貯留部に貯留されている磁気カード１０を挿入口１１へ搬送し、放出することができる。
【００３０】
さらに、図２に示す１５がシャッタ部材である。図３は、シャッタ部材を示す図である。シャッタ部材１５は、図３に示すように板状の板金を折り曲げた部材である。挿入口１１側の端部Ａは、略垂直に折り曲げられている。この部分が、挿入口１１の一部を封鎖するシャッタとして機能する。また、シャッタ部材１５の挿入口１１の反対側の端部Ｂは、湾曲形状（搬送面側に突出する湾曲形状）折り曲げられている。また、図３に示す２１は、本体側に設けられた軸に揺動自在に取り付けるための開口部である。この軸は、搬送路の上方に位置し、磁気カード１０の搬送方向に対して略垂直な方向に延びている。また、２２は板バネ部である。
【００３１】
シャッタ部材１５の両端部Ａ、Ｂ間の長さＬは、本体に挿入される磁気カード１０の搬送方向の長さと略同じ長さである（両端部Ａ、Ｂ間の長さＬの方が少し（１ｍｍ程度）長い。）。開口部２１は、図３に示すように挿入口１１の反対側に位置する端部Ｂ側によった位置に形成されている。搬送路の上方に取り付けられている天板には、端部Ａ、Ｂが挿入される開口部が形成されている。また、端部Ｂは湾曲形状である部分の最下面が、図４に示すように搬送路における磁気カード１０の搬送面に形成した溝に当接している。この溝の深さは、例えば０．３３ｍｍである。
【００３２】
一方、板バネ部２２の端部は、搬送路の上方に位置する天板の上面に当接している。この板バネ部２２を設けたことで、シャッタ部材１５には端部Ａを上方に持ち上げる向きの付勢力が作用している。
【００３３】
次に、この発明の実施形態であるカード処理装置の動作について説明する。図５は、カード処理装置におけるシャッタ部材の動きを示す図である。磁気カード１０が本体に挿入されていない状態では、上述したようにシャッタ部材１５に端部Ａを上方に持ち上げる向きに付勢力が作用しているので、図５（Ａ）に示すように、挿入口１１側の端部Ａの下端が挿入口１１よりも上方に位置し、挿入口１１が開放されている。
【００３４】
なお、端部Ｂの湾曲形状である部分の最下面が磁気カード１０の搬送面に形成した溝の上面に当接している。
【００３５】
このとき、挿入口１１から磁気カード１０が挿入されると、挿入された磁気カード１０の搬送が開始される。このとき、操作者は、磁気カード１０の先端部が搬送ローラとローラ１３ａとに挟持される位置までこの磁気カード１０を挿入口１１から本体へ押し込む（図５（Ｂ）に示す状態）。カード処理装置１は、搬送部３がモータを回転させて（プーリを回転させて、）、挿入口１１から挿入された磁気カード１０（搬送ローラとローラ１３ａとに挟持されている磁気カード１０）を貯留部へ搬送する。このとき、読取／書込部４は、ローラ１３ｂに対向している磁気ヘッド（不図示）でこの磁気カード１０に記録されている磁気データを読み取る。
【００３６】
搬送路を貯留部へ搬送されている磁気カード１０の先端部が、端部Ｂと搬送面との間に入り込むと、磁気カード１０の厚さと、端部Ｂが当接している搬送面に形成された溝の深さと、を加えた分だけ端部Ｂが持ち上げられる。これにともなって、開口部２１に通されている軸を中心にしてシャッタ部材１５が揺動し、端部Ａが下がり、挿入口１１の一部が端部Ａにより封鎖された状態になる（図５（Ｃ）に示す状態）。
【００３７】
例えば、端部Ａから開口部２１の中心までの長さが６６ｍｍで、端部Ｂから開口部２１の中心までの長さが２１ｍｍであり、磁気カード１０の厚さが０．２６ｍｍ、搬送方向の長さが８６ｍｍであり、さらに溝の深さが０．３３ｍｍであるとすると、端部Ｂの下に磁気カード１０が入り込むと、端部Ｂは０．５９ｍｍ（０．３３ｍｍ＋０．２６ｍｍ）持ち上げられる。これにより、端部Ａは１．８５ｍｍ（６６／２１×０．５９＝１．８５ｍｍ）下がる。
【００３８】
端部Ａから開口部２１の中心までの長さ、端部Ｂから開口部２１の中心までの長さ、溝の深さについては、本体に挿入される磁気カード１０の厚さや搬送方向の長さに応じて決定される。
【００３９】
また、端部Ｂは上述のように湾曲形状であるので、搬送路を搬送されている磁気カード１０がスムーズに端部Ｂの下に入り込むので、端部Ｂが磁気カード１０を傷つけ、破損させることがない。また、磁気カード１０の搬送方向の長さよりも両端部Ａ、Ｂ間の長さのほうが少し長いので（上記例では１ｍｍ）、端部Ａが下がったときに、端部Ａの先端部が磁気カード１０にあたって、該磁気カード１０を傷つけ、破損させるということもない。
【００４０】
カード処理装置１は、磁気カード１０を図５（Ｃ）に示す位置から、さらに貯留部へ搬送しながらこの磁気カード１０に記録されている磁気データを読取／書込部４で読み取る。図５（Ｄ）は、磁気カード１０が貯留部まで搬送された状態を示す図である。このとき、カード処理装置１は、磁気カード１０の搬送を停止している。具体的には、モータを停止している。貯留部まで搬送された磁気カード１０は、搬送ローラとローラ１３ａに後端部が挟持されている。
【００４１】
カード処理装置１は、図５（Ｄ）に示す状態を保持し、入出力部５から外部機器に対して今回読み取った磁気データを送信する。この磁気データを受け取った外部機器において、取引処理等が行われ、その結果が外部機器から入出力部５に入力される。カード処理装置１は、外部機器からの入力に基づいて、貯留部に位置している磁気カード１０に対して記録する磁気データ（更新する磁気データ）を作成すると、モータを逆回転させて、貯留部に位置している磁気カード１０を挿入口１１へ搬送する。このとき、カード処理装置１は、読取／書込部４において磁気カード１０に対して更新する磁気データを書き込む。
【００４２】
挿入口１１へ搬送されている磁気カード１０が短部Ｂの下から抜けると、板バネ部２２により作用している付勢力により揺動し、端部Ａが上がり（端部Ｂが下がる。）、挿入口１１が開放される（図５（Ｅ））。このとき、磁気カード１０の後端部は短部Ａの下方に位置していない。さらに、カード処理装置１は、磁気カード１０を挿入口１１方向に搬送し、搬送ローラとローラ１３ａとで挟持されていない状態になると（図５（Ｆ））、磁気カード１０の搬送を停止する。
【００４３】
操作者は、挿入口１１において突出している磁気カード１０の後端部をつかんで、本体から磁気カード１０取り出す。
【００４４】
このように、この実施形態のカード処理装置１は、シャッタ部材１５の端部Ｂの下に磁気カード１０が入り込んでいるとき、すなわち磁気カード１０が本体に挿入されているとき、シャッタ部材１５の端部Ａが下がって、挿入口１１の一部を封鎖する構成であるので、本体に磁気カード１０が挿入されているかどうかを検出するセンサや、磁気カード１０の挿入を阻止するシャッタを駆動する駆動部が必要なく、装置本体を小型で且つ安価に構成できる。
【００４５】
また、端部Ｂについては、湾曲形状としたので、搬送路を搬送されている磁気カード１０をスムーズに端部Ｂの下に入り込ませることができ、磁気カード１０が端部Ｂによって傷つけられたり、破損させられるのを防止できる。
【００４６】
また、シャッタ部材１５の両端部間の長さを、磁気カード１０の搬送方向の長さよりも少し長くしているので、端部Ａが下がったときに、磁気カード１０を傷つけ、破損させることもない。
【００４７】
また、シャッタ部材１５は、板バネ部２２により端部Ａを持ち上げる方向に付勢力が作用しているので、端部Ｂの下から磁気カード１０が抜けたときに、スムーズに端部Ａを上方に移動させて、挿入口１１を開放することができる。
【００４８】
なお、上記実施形態では、シャッタ部材１５は挿入口１１の一部を封鎖するとしたが、挿入口１１の全体を封鎖するように構成してもよい。また、挿入口１１の一部を封鎖する場合、挿入口１１の中央部を封鎖してもよいし、上記実施形態と反対の左側を封鎖してもよい。
【００４９】
また、上記実施形態では、磁気カード１０を処理するカード処理装置１を例にして、本願発明を説明したが、本願発明は接触式のＩＣカードを処理するカード処理装置、非接触式のＩＣカードを処理するカード処理装置、表面に感熱記録部が形成されたカードに可視情報を書き込むカード処理装置にも適用できる。
【００５０】
例えば、接触式のＩＣカードを処理するカード処理装置の場合には、読取／書込部４を、貯留部に位置する接触式のＩＣカードに設けられているＩＣチップに電気的に接続される端子部を設け、この端子部を介して接触式のＩＣカードのＩＣチップに記録されているデータの読取、書込が行える構成に置き換えればよい。また、この場合には、搬送部３を設けないで、挿入口から貯留部までのカードの挿入、および貯留部から本体外部へのカードの取り出しを、利用者に行わせるようにしてもよい。
【００５１】
また、非接触式のＩＣカードを処理するカード処理装置の場合には、読取／書込部４を、貯留部に位置する非接触式のＩＣカードとの無線通信により、この非接触式のＩＣカードに記録されているデータの読取、書込が行える構成に置き換えればよい。また、この場合には、接触式のＩＣカードの場合と同様に、搬送部３を設けないで、挿入口から貯留部までのカードの挿入、および貯留部から本体外部へのカードの取り出しを、利用者に行わせるようにしてもよい。
【００５２】
また、表面に感熱記録部が形成されたカードに可視情報を書き込むカード処理装置の場合、図６に示すように、本体に挿入されたカード表面に可視情報を書き込むサーマルヘッド６ａを有する印字部６を追加すればよい。表面に感熱記録部が形成されたカードについては、周知であるのでここでは説明を省略する。サーマルヘッド６ａは、挿入口と貯留部との間に配置され、挿入口から貯留部、または貯留部から挿入口へ搬送されているカードに対して可視情報を書き込むように構成される。
【００５３】
さらに、表面に感熱記録部が形成された磁気カード、接触式のＩＣカード、非接触式のＩＣカード等の複合カードを処理するカード処理装置の場合には、カードに記録されているデータの読取／書込が行える構成（読取／書込部４）とともに、該カード表面の感熱記録部に可視情報を書き込む構成（印字部６）を設ければよい。
【００５４】
【発明の効果】
以上のように、この発明によれば、本体に挿入されたカードにより、シャッタを揺動させて、挿入口を封鎖する構成としたので、本体にカードが挿入されているかどうかを検出するためのセンサや、このセンサの検出結果に基づいてシャッタを駆動する駆動部の構成が不要になり、本体を小型に構成できるとともに、安価にできる。
【００５５】
また、シャッタにおける挿入口の反対側の短部と、カードの搬送面との間に搬送されているカードが入り込み、シャッタにおける挿入口側の端部が下がったときに、挿入口側の端部がカードに当たることがない。したがって、カードがシャッタにより破損されるのを防止できる。
【００５６】
また、挿入口から貯留部へ搬送されているカードを、挿入口の反対側の短部と搬送面との間にスムーズに入り込ませることができる。これにより、搬送されているカードの詰まりの発生が抑えられ、且つ挿入口の反対側の短部と搬送面との間に入り込む際にカードを傷つけ破損させることも防止できる。
【００５７】
さらに、挿入口の反対側の短部と搬送面との間にカードが入り込んでいないとき、シャッタにおける挿入口側の短部を確実に搬送面から離し、挿入口を開放した状態にできる。
【図面の簡単な説明】
【図１】この発明の実施形態であるカード処理装置の構成を示すブロック図である。
【図２】この発明の実施形態であるカード処理装置の外観図である。
【図３】この発明の実施形態であるカード処理装置に使用されるシャッタ部材を示す図である。
【図４】カード処理装置におけるシャッタ部材の端部Ｂと搬送面との関係を示す図である。
【図５】カード処理装置におけるシャッタ部材の動きを示す図である。
【図６】この発明の別の実施形態であるカード処理装置の構成を示すブロック図である。
【符号の説明】
１−カード処理装置
２−制御部
３−搬送部
４−読取／書込部
５−入出力部
６−印字部
６ａーサーマルヘッド
１０−磁気カード
１１−挿入口
１５−シャッタ部材
２２−板バネ部
【図１】
2004152240.tif 000003
【図２】
2004152240.tif 000004
【図３】
2004152240.tif 000005
【図４】
2004152240.tif 000006
【図５】
2004152240.tif 000007
【図６】
2004152240.tif 000008